(57)【要約】【課題】ＬＥＤ光源から遠い他面側ほど拡散板に近い位置に反射板が位置しているため、均一な面発光を確保することができる照明装置を提供する。【解決手段】本発明は、正面に開口１１ａを形成した扁平な略筐体形状のハウジング１１と、開口１１ａを閉成してハウジング１１の内部に灯室１２を形成するとともに照明光束Ｐ１，Ｐ２を透過する拡散板１３と、ハウジング１１の内壁面のうち拡散板１３と直交する一面１１ｂに配置された複数のＬＥＤ光源１４と、開口１１ａと対向するハウジング１１の底面１１ｃとＬＥＤ光源１４との間から一面１１ｂと対向する他面１１ｄと開口１１ａとの間にわたって傾斜状態で配置されかつＬＥＤ光源１４から出射された照明光束Ｐ１，Ｐ２を拡散板１３に向けて反射する反射板１５と、を備えている。【選択図】図４
2013077454.tif 000002
【特許請求の範囲】
【請求項１】
正面に開口を形成した扁平な略筐体形状のハウジングと、前記開口を閉成して前記ハウジングの内部に灯室を形成するとともに照明光束を透過する拡散板と、前記ハウジングの内壁面のうち前記拡散板と直交する一面に配置された複数のＬＥＤ光源と、前記開口と対向する前記ハウジングの底面と前記ＬＥＤ光源との間から前記一面と対向する他面と前記開口との間にわたって傾斜状態で配置されかつ前記ＬＥＤ光源から出射された照明光束を前記拡散板に向けて反射する反射板と、を備えていることを特徴とする照明装置。
【請求項２】
前記ＬＥＤ光源は前記ハウジングの長手方向に沿って複数配置され、前記反射板は前記ハウジングの小口方向に沿いかつ前記ハウジングの厚さ方向に傾斜設定されていることを特徴とする請求項１に記載の照明装置。
【請求項３】
前記反射板は、曲面又は放物面から構成されかつ反射面に反射率の高い全反射膜が設けられていることを特徴とする請求項１又は請求項２に記載の照明装置。
【発明の詳細な説明】
【技術分野】
【０００１】
本発明は、光源にＬＥＤを用いた薄型な照明装置に関する。
【背景技術】
【０００２】
近年、消費電力が低くしかも長寿命であるとの理由から、光源にＬＥＤを用いた照明装置が各種提案されている。
【０００３】
この際、特に、少数のＬＥＤ光源を用いて薄型で面発光を期待するものとして、導光板を用いたものが知られているが（例えば、特許文献１参照）、このような導光板は、光源から発光面までの距離が長い場合には有効であるが、高価でしかも明るさが低いという問題が生じていた。
【０００４】
そこで、照明装置本体が薄型で、しかも少数のＬＥＤ光源でありながら、面発光を実現するものとして、光拡散フィルムと反射板とを離間状態で平行に対向配置したもの（例えば、特許文献２参照）や、ハウジングの内壁面に高反射塗料膜を形成したもの（例えば、特許文献３参照）などが提案されている。
【先行技術文献】
【特許文献】
【０００５】
【特許文献１】特開２０１１−１８７４１８号公報
【特許文献２】特開２０１１−１３４４８１号公報
【特許文献３】特開２０１１−１５８８７４号公報
【発明の概要】
【発明が解決しようとする課題】
【０００６】
しかしながら、光拡散フィルムと反射板とを離間状態で平行に対向配置したものにあっては、ハウジングの内壁面の複数面（対向する２面）ＬＥＤ光源を配置しないと均一な面発光にならないという問題があった。
【０００７】
また、ハウジングの内壁面に高反射塗料膜を形成したものにあっては、ハウジングとレンズとで形成される灯室の中央付近複数箇所にもＬＥＤ光源を配置しないとハウジングの内壁面全体の高反射塗料膜を利用した均一な面発光にならないという問題があった。しかも、灯室の中央付近にＬＥＤ光源を配置すると、そのＬＥＤ光源から出射された照明光束のうち、一部は直射光の照明光束となったしまうことから、均一な面発光とすることが困難であるという問題があった。
【０００８】
このような面発光型の照明装置にあっては、従来からの電球や蛍光管等を光源とする照明装置に比べて、電気代や消耗期間等のコストの観点では有利なものの、その光源特性から均一な面発光を確保することが困難であるという新たな問題が生じている。
【０００９】
一方、利用者側からの観点では、コスト的に有利なだけでなく、見掛け上で従来の電球や蛍光管等を用いた照明装置に近い均一な発光面及び光量（明るさ）のＬＥＤ照明装置が望まれている。
【００１０】
そこで、本発明は、光源にＬＥＤを用いたものでありながら、安価でしかも薄型化を維持しつつ、少数のＬＥＤ光源を用いて均一な面発光を確保することができる照明装置を提供することを目的とする。
【課題を解決するための手段】
【００１１】
上記課題を解決するため、本発明の照明装置は、正面に開口を形成した扁平な略筐体形状のハウジングと、前記開口を閉成して前記ハウジングの内部に灯室を形成するとともに照明光束を透過する拡散板と、前記ハウジングの内壁面のうち前記拡散板と直交する一面に配置された複数のＬＥＤ光源と、前記開口と対向する前記ハウジングの底面と前記ＬＥＤ光源との間から前記一面と対向する他面と前記開口との間にわたって傾斜状態で配置されかつ前記ＬＥＤ光源から出射された照明光束を前記拡散板に向けて反射する反射板と、を備えていることを特徴とする。
【００１２】
このような構成によれば、ＬＥＤ光源から遠い他面側ほど拡散板に近い位置に反射板が位置しているため、均一な面発光を確保することができる。
【００１３】
前記ＬＥＤ光源は前記ハウジングの長手方向に沿って複数配置され、前記反射板は前記ハウジングの小口方向に沿いかつ前記ハウジングの厚さ方向に傾斜設定されていることを特徴とする。
【００１４】
このような構成によれば、ＬＥＤ光源から出射された照明光束の有効利用を図ることができ、しかも、反射板による反射効率を高く維持することができる。
【００１５】
前記反射板は、曲面又は放物面から構成されかつ反射面に反射率の高い全反射膜が設けられていることを特徴とする。
【００１６】
このような構成によれば、ＬＥＤ光源から出射された照明光束の配光を反射板にて制御することができ、より一層均一な面発光を確保することができる。
【発明の効果】
【００１７】
本発明の照明装置は、ＬＥＤ光源から遠い他面側ほど拡散板に近い位置に反射板が位置しているため、均一な面発光を確保することができる。
【図面の簡単な説明】
【００１８】
【図１】本発明の一実施形態に係る照明装置を示し、（Ａ）は照明装置の正面側の斜視図、（Ｂ）は背面側の斜視図である。
【図２】本発明の一実施形態の照明装置を示し、（Ａ）は照明装置の底面図、（Ｂ）は照明装置の正面図、（Ｃ）は照明装置の側面図である。
【図３】本発明の一実施形態に係る照明装置を示し、拡散板を取り外した正面側の斜視図である。
【図４】本発明の一実施形態の照明装置の断面図である。
【発明を実施するための形態】
【００１９】
次に、本発明の一実施形態に係る照明装置について、図面を参照して説明する。尚、以下に示す実施例は本発明の照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２０】
図１は本発明の一実施形態に係る照明装置を示し、図１（Ａ）は照明装置の正面側の斜視図、図１（Ｂ）は背面側の斜視図、図２は本発明の一実施形態の照明装置を示し、図２（Ａ）は照明装置の底面図、図２（Ｂ）は照明装置の正面図、図２（Ｃ）は照明装置の側面図、図３は本発明の一実施形態に係る照明装置を示し、拡散板を取り外した正面側の斜視図、図４は本発明の一実施形態の照明装置の断面図である。
【００２１】
図において、照明装置１０は、正面に開口１１ａを形成した扁平な略筐体形状のハウジング１１と、開口１１ａを閉成してハウジング１１の内部に灯室１２を形成するとともに照明光束Ｐ１，Ｐ２を透過する拡散板１３と、ハウジング１１の内壁面のうち拡散板１３と直交する一面１１ｂに配置された複数のＬＥＤ光源１４と、開口１１ａと対向するハウジング１１の底面１１ｃとＬＥＤ光源１４との間から一面１１ｂと対向する他面１１ｄと開口１１ａとの間にわたって傾斜状態で配置されかつＬＥＤ光源１４から出射された照明光束Ｐ１，Ｐ２を拡散板１３に向けて反射する反射板１５と、を備えている。
【００２２】
ハウジング１１は、アルミ又はアルミ合金等の軽金属が用いられており、ＬＥＤ光源１４の点灯に伴う発熱を吸熱（放熱）するヒートシンク機能を具備している。尚、照明装置１０としての設置場所（平均使用時間等の必要に応じて）フィン状の放熱部を一体に形成しても良いし、別途固定しても良い。また、ハウジング１１は、本実施の形態においてはアルミの押し出し成形により長手方向の両端が開放しており、この開放端を利用して拡散板１３、ＬＥＤ光源１４、反射板１５を内装している。なお、開放端には樹脂製のキャップ１６がネジ固定され、これにより開放端が閉成されている。さらに、ハウジング１１の長手方向に沿う上面角部にはフランジ状の固定部１１ｅ（一部の図面で省略）が設けられている。
【００２３】
拡散板１３は、例えば、ポリカーボネート、ポリエステル、アクリル等の比較的透過率の高い樹脂材料（原材料特性としては４００ｎｍ〜１１００ｎｍの波長域で８５％〜９０％程度）を主成分として形成されており、無色透明又は有色（白色）透明とされている。また、拡散板１３は、例えば、微小でランダムなレンズアレイを形成して拡散機能を具備することにより反射板１５で反射された照明光束Ｐ１，Ｐ２を拡散整形し、照明ムラの少ない均一な面発光を確保している。この際、拡散板１３は、照明装置１０の設置場所等に応じて、防眩性の確保やマルチシャドーの低減等を考慮することも可能である。なお、拡散板１３は、拡散率を高くすると透過率が下がる傾向にあるため、白色透明とすることも考慮し、可視光領域（３６０ｎｍ〜８３０ｎｍ）で分散度３０℃〜４０℃、透過率６０％〜７０％付近に設定している。
【００２４】
ＬＥＤ光源１４は、ハウジング１１の一面１１ｂに固定された制御基板１７に実装されており、ハウジング１１の長手方向に沿って複数配置されている。
【００２５】
反射板１５は、ハウジング１１の長手方向の略全幅にわたって配置されており、ハウジング１１の小口方向に沿いつつハウジング１１の厚さ方向に傾斜設定されている。また、ハウジング１１の長手方向に沿う両縁部１５ａ，１５ｂは、ハウジング１１の底面１１ｃと他面１１ｄとに固定されている。さらに、反射板１５は、平面状のものを用いても良いが、例えば、曲面又は放物面から構成することも可能である。また、反射板１５の反射面１５ｃには、反射率の高い全反射膜が設けられている。なお、反射率の高い全反射膜としては、例えば、アルミニウムを真空蒸着したうえで、その表面にフッ化マグネシウムや酸化シリコンの保護膜を形成したものや、複数層の誘電体膜を形成することで反射率を高くしたものなど、可視光領域の照明光束Ｐ１，Ｐ２を効率良く全反射するものが用いられている。
【００２６】
これにより、拡散板１３の均一な面発光機能とは別に、照明装置１０の扁平化のためにＬＥＤ光源１４を一面１１ｂに配置したことに伴う出射方向と照明方向との交差と、一面１１ｂと他面１１ｄとの離間距離と、によってＬＥＤ光源１４から出射された照明光束Ｐ１，Ｐ２の発光量ムラの発生要因を抑制することができる。
【００２７】
したがって、ＬＥＤ光源１４から出射された照明光束Ｐ１，Ｐ２は、反射板１５の反射面１５ｃで全反射された後、拡散板１３の拡散機能との協働により均一な面発光を確保することができる。
【００２８】
このように、本発明の照明装置にあっては、ＬＥＤ光源１４から遠い他面１１ｄに行くほど拡散板１３に近い位置に反射板１５が位置しているため、均一な面発光を確保することができる。
【符号の説明】
【００２９】
Ｐ１…照明光束
Ｐ２…照明光束
１０…照明装置
１１…ハウジング
１１ａ…開口
１１ｂ…一面
１１ｃ…底面
１１ｄ…他面
１１ｅ…固定部
１２…灯室
１３…拡散板
１４…ＬＥＤ光源
１５…反射板
１５ａ…縁部
１５ｂ…縁部
１５ｃ…反射面
１６…キャップ
１７…制御基板
【図１】
2013077454.tif 000003
【図２】
2013077454.tif 000004
【図３】
2013077454.tif 000005
【図４】
2013077454.tif 000006